(57)【要約】      （修正有）【課題】焼物、美術工芸品等の小型の器物の地震による転倒、落下等による破損を効果的に防止する免震構造体、該構造体を有する免震台及び免震装置を提供する。【解決手段】下部基板１と、該基板１の上に位置する上部台板３を有する免震構造体において、球状回転体７を下部に位置する基板１と上部に位置する台板３に当接させて回転可能に支持した中板３を、前記基板１と台板３の間に摺動自在に非固定的に配設した。【効果】構造が簡単で、部品点数が少なく、低コストで作製可能で、しかも、地震による揺れ、特に、水平方向の揺れに対して顕著な免震効果を発揮する新規免震構造体と、該構造体を含む免震台及び免震装置を提供できる。【選択図】図２
2007239907.tif 000002
【特許請求の範囲】
【請求項１】
下部基板と、該基板の上に位置する上部台板を有する免震構造体において、複数の球状回転体を下部に位置する基板と上部に位置する台板に当接させて回転可能に支持した中板を、前記基板と台板の間に摺動自在に非固定的に配設したことを特徴とする免震構造体。
【請求項２】
前記基板及び台板が、略同等の形状の平板から構成される、請求項１に記載の免震構造体。
【請求項３】
前記基板と台板が、基板の上面と台板の下面とを接続する複数の弾性体により、基板直上に台板が復帰するように付勢されている、請求項１に記載の免震構造体。
【請求項４】
前記弾性体が、コイルバネ又はゴム製バネである、請求項３に記載の免震構造体。
【請求項５】
前記球状回転体が、球体（ボール）である、請求項１に記載の免震構造体。
【請求項６】
前記中板が、複数の球状回転体を回転可能に支持した平板から成り、前記基板及び台板の幅の内側に位置するように配設されている、請求項１に記載の免震構造体。
【請求項７】
前記中板が、少なくとも４個の球体を、平板から成る中板の四隅の部分で回転可能に支持した構造を有する、請求項６に記載の免震構造体。
【請求項８】
縦方向の地震波により、下部基板から、該基板の上に位置する上部台板がはね上がることを防止するはね防止手段を有する、請求項１に記載の免震構造体。
【請求項９】
前記はね防止手段が、下部基板に固定した下部はね防止板と、上部台板に固定した上部はね防止板を、下部はね防止板が上部はね防止板の上側に位置するようにクロスさせて設置した構造を有する、請求項８に記載の免震構造体。
【請求項１０】
請求項１から９のいずれかに記載の免震構造体を構成要素として含むことを特徴とする免震台又は免震装置。
【発明の詳細な説明】
【技術分野】
【０００１】
本発明は、免震構造体に関するものであり、更に詳しくは、例えば、焼物、美術工芸品等の器物の地震による転倒、落下等による破損を防止するための免震装置として好適に適用することが可能な、地震による震動、特に、地震による水平方向の揺れに対して高い免震機能を有する新しい免震構造体、及び該構造体を構成要素として含む免震台及び免震装置に関するものである。
【背景技術】
【０００２】
従来、小型の置物類を対象とした免震装置として、種々の免震構造を有する装置が開発されている。これらの先行技術として、例えば、花瓶、壺等の載置台として有効な免震台及び免震装置に関するものとして、ベース部材に、転動体を介して水平面上を移動可能に被載置物用の可動部材を設置したことを特徴とする免震台が提案されている（特許文献１）。
【０００３】
また、例えば、コンピュータ等の重要な電子機器あるいは高価な仏像等の美術品を設置するための摺動機構、免震装置及び制振装置に関するものとして、固定面に対し摺動可能に設けられた摺動部を有し、入力された振動の大きさに応じて該摺動部と該固定面とが相対変位する摺動機構であって、前記固定面に対する前記摺動部の摩擦力を調整する摩擦力調整手段を前記摺動部に設けたことを特徴とする摺動機構、免震装置及び制震装置が提案されている（特許文献２）。
【０００４】
また、例えば、地震などの振動から器物を保護するために、器物の下に置いて用いる免震装置に関するものとして、上下一対の台板と、両台板間に介在し両者のほぼ水平方向の相対移動を許容する支持手段と、少なくとも一ヶ所が下の台板に、少なくとも一ヶ所が上の台板にそれぞれ固定された編組体からなる複数の環状のワイヤとを備え、各ワイヤの復元力が協働して上の台板を所定位置に戻す方向に作用するようにしたことを特徴とする免震台装置が提案されている（特許文献３）。
【０００５】
また、例えば、地震等による揺れを吸収するための免震台、特に、美術工芸品や骨董品等の比較的小型の物品の保護に用いるのに好適な免震台に関するものとして、保護物品を載せる台板と、床等の設置面上に載置される基板と、これら台板と基板との間に介装された中板とを備え、前記中板の上下両面には、球状凹曲面がそれぞれ３個以上形成されていると共に、前記基板の上面と前記台板の下面には、前記中板の上下両面に形成された各球状凹曲面に対向させて、先端に回転自在な球状回転体を備えたフリーベアリングが該対向する球状凹曲面の中心位置にそれぞれ当接するように固設されており、これら当接する各球状凹曲面と球状回転体との転がり作用によって、前記台板と中板をそれぞれ水平状態を保ったまま水平方向３６０°の全方向に揺動自在としたことを特徴とする免震台が提案されている（特許文献４）。
【０００６】
また、例えば、免震構造を持つラック、特に、コンピュータ等の電子機器を搭載する免震構造を持つラックに関するものとして、下部耐圧板と、前記下部耐圧板の上に一端が取り付けられた複数の弾性体と、下面に前記弾性体の他端が取り付けられた上面に複数の区画を有する格子状の板が取り付けられた中間耐圧板と、前記複数の各区画に投入された複数の球体と、前記複数の球体の上に載せられた上部耐圧板と、前記下部耐圧板の上面と前記上部耐圧板の下面とを接続する複数の伸縮材とを含むことを特徴とする免震構造を持つラックが提案されている（特許文献５）。
【０００７】
その他、ボールの回転作用を利用した免震機構に関する先行技術が数多く提案されている（特許文献６〜１１）。更に、基本構成として、例えば、車輪及び走行レール、遊動コロ、ボールベアリング及び受皿、引張りコイルバネ、リニアベアリング、曲線レール及びベアリングブロック、粘性ダンパー等の荷重支承機構を利用した免震方式の製品が種々開発されている。しかしながら、これらの免震装置は、免震構造が複雑であり、小型の器物を対象としている装置の割には、装置が複雑、かつ大がかりで、部品点数が多く、高コストであり、広く普及するには至っていない。そのようなことから、当技術分野では、小型の器物を対象とした装置であって、構造が比較的簡単で、部品点数が少なく、低コストで作製することが可能で、しかも、高い免震効果を得ることができる新しい免震方式を利用した免震台、免震装置の開発が強く要請されていた。
【０００８】
【特許文献１】特開平９−３７０号公報
【特許文献２】特開平９−８９０２８号公報
【特許文献３】特開平９−２７３５９４号公報
【特許文献４】特開２０００−４６１０５号公報
【特許文献５】特開２０００−３２０６１０号公報
【特許文献６】特開２００１−１２４１３９号公報
【特許文献７】特開２００１−１２４１４０号公報
【特許文献８】特開２００１−１９３７９２号公報
【特許文献９】特開２００１−２００８９０号公報
【特許文献１０】特開２００２−１９５３４６号公報
【特許文献１１】特開２００３−２０１７７０号公報
【発明の開示】
【発明が解決しようとする課題】
【０００９】
このような状況の中で、本発明者らは、上記従来技術に鑑みて、特に、焼物、美術工芸品等の小型で高価な器物の免震装置として好適に使用することが可能な新しい免震方式及び構造について種々研究を積み重ねる過程で、構造が簡単で、部品点数が少なく、低コストで作製することが可能で、しかも、高い免震効果を発揮する新しい免震構造体を開発することに成功し、本発明を完成するに至った。本発明は、地震による振動を効率良く吸収して、特に、焼物、美術工芸品等の小型で高価な器物を地震による揺れから保護するために好適に使用することができる免震構造体、該構造体を有する免震台及び免震装置を提供することを目的とするものである。
【課題を解決するための手段】
【００１０】
上記課題を解決するための本発明は、以下の技術的手段から構成される。
（１）下部基板と、該基板の上に位置する上部台板を有する免震構造体において、複数の球状回転体を下部に位置する基板と上部に位置する台板に当接させて回転可能に支持した中板を、前記基板と台板の間に摺動自在に非固定的に配設したことを特徴とする免震構造体。
（２）前記基板及び台板が、略同等の形状の平板から構成される、前記（１）に記載の免震構造体。
（３）前記基板と台板が、基板の上面と台板の下面とを接続する複数の弾性体により、基板直上に台板が復帰するように付勢されている、前記（１）に記載の免震構造体。
（４）前記弾性体が、コイルバネ又はゴム製バネである、前記（３）に記載の免震構造体。
（５）前記球状回転体が、球体（ボール）である、前記（１）に記載の免震構造体。
（６）前記中板が、複数の球状回転体を回転可能に支持した平板から成り、前記基板及び台板の幅の内側に位置するように配設されている、前記（１）に記載の免震構造体。
（７）前記中板が、少なくとも４個の球体を、平板から成る中板の四隅の部分で回転可能に支持した構造を有する、前記（６）に記載の免震構造体。
（８）縦方向の地震波により、下部基板から、該基板の上に位置する上部台板がはね上がることを防止するはね防止手段を有する、前記（１）に記載の免震構造体。
（９）前記はね防止手段が、下部基板に固定した下部はね防止板と、上部台板に固定した上部はね防止板を、下部はね防止板が上部はね防止板の上側に位置するようにクロスさせて設置した構造を有する、前記（８）に記載の免震構造体。
（１０）前記（１）から（９）のいずれかに記載の免震構造体を構成要素として含むことを特徴とする免震台又は免震装置。
【００１１】
次に、本発明について更に詳細に説明する。
本発明は、下部基板と、該基板の上に位置する上部台板を有する免震構造体において、複数の球状回転体を下部に位置する基板と上部に位置する台板に当接させて回転可能に支持した中板を、前記基板と台板の間に摺動自在に非固定的に配設したことを特徴とするものである。
【００１２】
本発明は、前記免震構造体において、前記基板及び台板が、略同等の形状の平板から構成されること、前記基板と台板が、基板の上面と台板の下面とを接続する複数の弾性体により、基板直上に台板が復帰するように付勢されていること、を好適な実施の態様としている。
【００１３】
また、本発明では、前記弾性体としては、好適には、例えば、コイルバネ、及びゴム製バネが例示されるが、これらに制限されるものではなく、これらと同等ないし類似の弾性作用を有する伸縮材であれば同様に使用することができる。
【００１４】
本発明では、前記球状回転体としては、好適には、例えば、球体（ボール）又はそれと同等の機能を有する適宜の回転体が使用される。この球状回転体の材質、大きさ、及び個数等は特に制限されるものではなく、これらについては適宜設計することができるが、通常、同じ材質、大きさの球状回転体が任意の個数配置される。
【００１５】
本発明において、前記中板は、複数の球状回転体をその下部に位置する下部基板の上面と上部に位置する上部台板の下面の両者に当接させて回転可能に支持した平板から成り、該中板は、前記基板と台板の間に摺動自在に非固定的に配設される。ここで、非固定的とは、前記中板は、基板の上に載置して配設されているだけで、基板及び／又は台板のいずれにも固定されていないことを意味する。本発明では、この中板の大きさは特に制限されるものではないが、該中板は、前記基板の上面及び台板の下面の間を摺動して水平方向に移動する部材であることから、前記基板及び台板の幅の内側に位置するように配設できる適宜の大きさに形成することが好適である。
【００１６】
この中板は、例えば、該中板を安定的に保持するために、少なくとも４個の球体（ボール）を平板から成る中板の四隅の部分で回転可能に支持した構造に形成することが好適であるが、これらに制限されるものではない。本発明では、これらの球体（ボール）等の球状回転体の個数及びそれらの支持位置の構造については、必要に応じて、適宜の構造に形成することができる。前記中板において、球体（ボール）等の球状回転体を支持する支持構造は、前記球状回転体が下部に位置する基板の上面と上部に位置する台板の下面に当接して回転できるように支持すれば良く、その支持構造は特に制限されるものではない。
【００１７】
更に、本発明では、前記免震構造体を利用して適宜の形状の免震台及び免震装置を構築し、提供することができる。本発明の免震構造体は、前記中板を基板と台板の間に摺動自在に非固定的に配設したことを重要な構成要素とするものである。そして、それにより、地震波による縦方向及び水平方向の振幅に対して、例えば、下部基板の水平方向の揺れに追随して中板が摺動して自由に移動できること、それによって、上部台板の水平方向の動きを著しく抑制させることが実現可能となり、特に、水平方向の揺れに対して高い免震効果を発揮することが可能となる。
【００１８】
本発明の免震構造体は、例えば、棚、展示台、床などに載置し、必要により、それらに固定して、上部台板の上に器物を載せて使用されるが、その状態で地震などによって下部基板が振動すると、器物を載せた台板も一緒に揺れる。しかし、上部に位置する上部台板は、下部に位置する下部基板とコイルバネ等の弾性体で接続されており、また、上部の台板は、中板に支持されている球体（ボール）等の球状回転体によって支持されており、しかも、前記中板は、前記基板と台板の間に摺動自在に非固定的に配設されていることから、器物と上部台板は、下部基板と一体的に移動せず、下部からの震動エネルギーを確実にのがす。このときの基板と台板の相対変位は、前記弾性体の変形と前記中板の摺動により相乗的に減衰され、その上部台板に伝わった震動エネルギーはこれらの協動作用により相乗的に吸収される。そのため、器物に加わる振動は、速やかに減衰され、それにより、器物の転倒や落下を防ぐことが可能となる。
【００１９】
本発明では、垂直方向の震動エネルギー、即ち、縦方向の地震波により下部基板及び上部台板が同時的に動くことにより、上部基板の上に載置された器物が縦方向に揺れることの対策として、縦方向の揺れに対する免震手段を付加的に設置することが可能である。この場合、構造が複雑で、高価な免震手段を設置する必要はなく、構造が簡単で、組み立て及び取り付けが簡便で、特に、縦方向の揺れで下部基板から上部台板がはね上がるのを好適に防止できるはね防止手段を付加的に設置することが好ましい。このはね防止手段としては、例えば、図１０〜１２に示されるように、下部基板１に固定して設置された下部はね防止板１０と、上部台板３に固定して設置された上部はね防止板１１から構成される一対のはね防止手段を設置することが好ましい。
【００２０】
本発明の下部基板１及び上部台板３から構成される免震台は、例えば、縦方向の地震波により基板１が縦方向に動くと、それに連動して台板３も縦方向に動くが、その際に、水平方向の地震エネルギー、即ち、横方向の地震波が同時的に作用すると、器物を載置した台板３の動きと、基板１の動きとの間にずれが生じて、台板３は、基板１からはね上がり、それによって、器物が転倒したり、台板３から落下したりして器物の破損を招くことになる。しかし、この際に、図１０〜１２に示されるような、はね防止手段があると、基板１に固定された下部はね防止板１０と、台板３に固定された上部はね防止板１１は、基板１から台板３が大きくはね上がることを確実に防止するため、器物を載置した台板３が基板１から大きくはね上がることはなく、それによって、器物が転倒したり、台板２から落下したりすることは高い確率で防止される。
【００２１】
一般に、地震対策としては、地震による水平方向及び垂直方向の両者の震動を減衰することが重要であるが、簡便な構造の免震台においては、特に、水平方向の震動エネルギーを効果的に吸収できる減衰が重要であり、一方、垂直方向の地震波については、特に、地震発生直後の縦方向の揺れによる上述のような台板３のはね防止対策が重要となる。地震発生当初に上部台板３が下部基板１から大きくはね上がることを防止できれば、その後は、水平方向の震動エネルギーを減衰させることで、実際上は、高い確率で器物の破損を防ぐことが可能である。本発明では、上述のような、縦方向の地震波と横方向の地震波による台板１及び該台板に載置された器物に対する振動作用の状況を総合的に検討して、現実的に、高い確率で器物の破損を防ぐことが可能な上述のはね防止手段の有効性が確認された。
【００２２】
本発明において、はね防止手段は、図１０〜１２に示された構造のものが好適なものとして例示されるが、この事例に制限されるものではなく、それと同等ないし類似の構造であって、縦方向の揺れに対して、台板３が基板１から大きくはね上がることを防止する作用を有するものであれば適宜使用することが可能である。また、本発明においては、基板１に、コイルバネ等の伸縮材を付加的に設置して、伸縮材のエネルギー吸収作用により、縦方向の地震波を減衰させる構造とすることも適宜可能であり、本発明においては、そのような縦方向の地震波に対する免震手段を付加した構造とすること、及びその具体的構成については、必要に応じて、任意に設計することができる。
【００２３】
前記はね防止手段は、下部基板１に固定された下部はね防止板１０と、該基板の上に位置する上部台板３に固定された上部はね防止板１１から構成されるが、これらの下部はね防止板１０、上部はね防止板１１の下部基板１、上部台板３への固定方法及び固定手段１２、１３としては、例えば、適宜の高さ調節部材を介して、ネジ等の通常の固定部材を使用して固定する方法が例示される。その場合、下部はね防止板１０と、上部はね防止板１１は、下部はね防止板１０が上部はね防止板１１の上側に位置するようにクロスして設置することで、下部基板１から上部台板３がはね上がることを防止するストッパーの機能を付加することができる。
【００２４】
通常、下部はね防止板１０は、中板の上側に、また、上部はね防止板１１は、中板の下側に位置するように設置されるが、これに制限されるものではない。下部はね防止板１０、及び上部はね防止板１１としては、好適には、例えば、木材、プラスチック、金属等から構成される板材が例示されるが、これらに制限されるものではなく、これらと同様の機能を有する適宜の材質及び形態の部材を使用することが可能であり、それらは、免震台及び免震装置の種類、大きさ及び材質等に応じて任意に設計することができる。
【００２５】
本発明においては、上部台板に載置した器物を安定に支持して固定するために、必要に応じて、例えば、台板の四隅の部分に設けた固定手段に固定した糸を利用して、器物を支持、固定することが可能であり、それにより、器物を一層安定的に台板の上に載置することができる。この場合、上記固定手段としては、糸を固定できる適宜の形態の孔が好適であるが、それに制限されるものではなく、任意の固定手段を用いることができる。また、上記糸としては、例えば、透明で高強度の糸状製品が好適に使用されるが、それに制限されるものではなく、同様の機能を有するものであれば適宜の材質及び形態の糸を使用することができる。
【００２６】
更に、本発明の免震台に、必要に応じて、他の任意の免震手段を付加的に設けることが適宜可能であり、それによって、本発明の免震台の縦方向及び横方向の地震波に対する免震特性を増強することが可能となる。本発明は、簡便な構造で、組み立てが容易で、しかも、最小限の部材から構成される免震台で、しかも高い免震特性を発揮して、実際に、器物の破損を高い確率で防ぐことのできる免震構造体、該構造体を用いた免震台及び免震装置を実現した点に高い技術的意義を有するものである。
【発明の効果】
【００２７】
本発明により、次のような効果が奏される。
（１）本発明の免震構造体は、球状回転体による摩擦力と減衰力及び弾性体による伸縮作用の同時的な協動作用により、特に、地震による水平方向の揺れに対して高い免震効果が得られる。
（２）球状回転体を支持した中板を摺動自在に非固定的に基板と台板の間に配設する構成により、地震の水平方向の振幅に合わせて台板の中心に中板の中心を追随させて水平方向に摺動させることが可能であり、それにより、地震による大きな揺れに対する高い免震が可能である。
（３）本発明の免震構造体は、基板と台板の間に球状回転体を支持した中板を介在させ、基板と台板を弾性体で連結するだけで簡便に組み立てられること、及び構造が簡単で、部品点数が少なく、作製の工程が少ないことから、低コストで短時間に作製できる利点を有する。
（４）球状回転体及び弾性体の材質、強度、数量、大きさ等を変えることで、小型器物用の免震台から大型器物用の免震台まで任意に構築することが可能である。
（５）本発明の免震台に、はね防止手段を設置することにより、縦方向の地震波により、上部台板及び該台板に載置した器物が下部基板から大きくはね上がることを防止することができ、それにより、器物が転倒したり台板から落下して破損することを高い確率で防止することができる。
（６）更に、載置する器物の重量によって、免震効果に本質的な変化が生じないことから、免震台の減衰力等を格別に調整することは必要とされない。
（７）部品点数が少なく、複雑な免震方式及び機構を使用していないので、格別のメンテナンスの必要がない。
【発明を実施するための最良の形態】
【００２８】
次に、本発明を実施例に基づいて具体的に説明するが、本発明は、以下の実施例によって何ら限定されるものではない。
【００２９】
以下に、図面の記載に基づいて、本発明の実施の態様について具体的に説明するが、以下は、本発明の好ましい一実施の態様を示すものであって、本発明は、以下の事例に限定されるものではない。図１に、本発明の免震構造体の中板２の側面図（上段）、及びその下面図（下段）を示す。この中板２では、平板から成る中板の四隅の部分に４個の球状回転体（ボール）７を支持する支持台８が固定具９を介して中板に固定されている。前記球状回転体を支持する支持台の数及び設置位置は適宜変更することができる。
【００３０】
図２に、本発明の免震構造体の側面図を示す。図中、１は最下部に位置する下部基板、２は中板、３は上部に位置する上部台板を示す。該中板２には、球体（ボール）等の球状回転体７が下部に位置する下部基板１の上面と上部に位置する上部台板３の下面に当接して回転できるように支持台８により固定具９を介して支持されている。また、前記基板１の上面と前記台板３の下面にはロッド５、６を介してコイルバネ等の弾性体４が接続されている。この場合、コイルバネ等の弾性体の弾性特性、材質及び強度は、前記台板及び該台板に載置される器物の重量に応じて任意に調節することができる。それにより、水平方向の揺れは、該弾性体の伸縮作用と前記中板の摺動作用の協働によって相乗的に吸収され減衰される。
【００３１】
図３に、本発明の免震構造体を下側から見た構造を模式的に示す。この事例では、基板１及び台板の四隅の部分に４つの弾性体４が配設されており、また、基板１及び台板の内側に位置するように配設された中板２の四隅の部分に形成された４つの支持台８で球状回転体７が支持されている、本発明の免震構造体の基本的な構成が示されている。更に、図４〜９に、本発明の免震構造体の細部の構造（写真）を示す。
【００３２】
図４は、本発明の免震構造体の全体を鳥瞰した斜視図（写真）である。図５は、本発明の免震構造体の側面構造（一部）の側面図（写真）である。図６は、球状回転体を回転可能に支持台で支持した中板を下側から見た底面構造（写真）である。図７は、前記球状回転体を支持台で支持した支持構造の拡大図（写真）である。図８は、前記球状回転体を回転可能に固定具で支持台に支持した中板を上側から見た上面図（写真）である。図９は、本発明の免震台を構成する部材を分解して重ねたときの、下部基板と、該基板の上に位置する上部台板と、その上に載置した中板を側面から見た状態（写真）である。
【００３３】
本発明では、特に、縦方向の地震波に対する免震手段として、本発明の免震台に、はね防止手段を付加的に設置することができる。図１０に、はね防止手段の一例を示す。該はね防止手段は、下部基板１に固定具１２で固定された下部はね防止板１０と、該基板の上に位置する上部台板（図示せず）に固定具１３で固定される上部はね防止板１１から構成され、これらは、本発明の免震台において、下部はね防止板１０が上部はね防止板１１の上側に位置するようにクロスして設置される。図１１に、図１０のＢ方向から見たはね防止手段の側面図の概要を示す。また、図１２に、図１０のＡ方向から見たはね防止板の側面図の概要を示す。下部はね防止板１０は、上部はね防止板１１の上側に位置するようにクロスして設置されているので、基板と台板は、下部はね防止板１０と上部はね防止板１１によりロックされた形となり、これにより、特に、縦方向の地震波による縦方向の揺れにより、基板から台板が大きくはね上がることを防止することが可能となる。この場合、中板は、上部台板に近接した空間に配設されるか、又は下部基板に近接した空間に配設される。
【００３４】
本発明は、前記基板と台板の間に、中板を摺動自在に非固定的に配置したので、該中板の摺動による摩擦作用と、前記コイルバネ等の弾性体の伸縮作用が相乗的に協動して、特に、地震の水平方向の揺れに対して高い免震効果を発揮することが可能である。本発明では、前記中板が、摺動自在に非固定的に配設されているので、中板は台板の水平方向の移動に追随して摺動して水平方向の震動エネルギーをその摩擦力と減衰力により効果的に吸収し、免震することができる。本発明は、焼物、美術工芸品等の小型の器物の地震による転倒、落下等による破損を効果的に防止することが可能であるが、それらに限らず、例えば、ショーケース、ディスプレー、事務機器、電気機器、家具、什器等に代表されるあらゆる器物に対する地震対策として好適に使用できる免震構造体、該構造体を有する免震台及び免震装置を提供することを実現可能にするものである。
【産業上の利用可能性】
【００３５】
以上詳述したように、本発明は、免震構造体に係るものであり、本発明により、地震による振動、特に、地震による水平方向の揺れに対して高い免震機能を発揮すると共に、縦方向の揺れによる台板のはね上がりを確実に防止するはね防止手段を具備した新しい免震構造を有する免震構造体を提供することができる。本発明は、特に、焼物、美術工芸品等の小型の器物の地震による転倒、落下等による破損を効果的に防止できる免震手段として好適に使用することができる新規免震台及び免震装置を提供することができる。本発明は、構造が簡単で、部品点数が少なく、低コストで作製可能であり、しかも、高い免震機能を有する新しい免震構造を提供するものとして有用である。
【図面の簡単な説明】
【００３６】
【図１】本発明の免震構造体を構成する中板の側面図（上段）、及び底面図（下段）を示す。
【図２】本発明の免震構造体の側面図を示す。
【図３】本発明の免震構造体を下側から見た構造を模式的に示した図を示す。
【図４】本発明の免震構造体の全体の斜視図（写真）を示す。
【図５】本発明の免震構造体の側面構造（一部）の側面図（写真）を示す。
【図６】本発明の免震構造体の中板の底面構造（写真）を示す。
【図７】球状回転体を中板に支持する支持台の支持構造の拡大図（写真）を示す。
【図８】中板に支持された球状回転体を中板の上側から見た上面図（写真）を示す。
【図９】基板と、台板と、該台板に載置した中板を側面から見た状態（写真）を示す。
【図１０】下部基板１に固定された下部はね防止板１０と上部台板に固定される上部はね防止板１１から構成されるはね防止手段の配設構造の概要を示す。
【図１１】図１０のＢ方向から見たはね防止手段の側面図の概要を示す。
【図１２】図１０のＡ方向から見たはね防止手段の側面図の概要を示す。
【符号の説明】
【００３７】
１    基板
２    中板
３    台板
４    弾性体（コイルバネ）
５    ロッド
６    ロッド
７    球状回転体（ボール）
８    支持台
９    固定具
１０  下部はね防止板
１１  上部はね防止板
１２  固定具
１３  固定具
【図１】
2007239907.tif 000003
【図２】
2007239907.tif 000004
【図３】
2007239907.tif 000005
【図１０】
2007239907.tif 000006
【図１１】
2007239907.tif 000007
【図１２】
2007239907.tif 000008
【図４】
2007239907.tif 000009
【図５】
2007239907.tif 000010
【図６】
2007239907.tif 000011
【図７】
2007239907.tif 000012
【図８】
2007239907.tif 000013
【図９】
2007239907.tif 000014